(57)【要約】【課題】一時集積部が満杯状態になることによって発生する、待機状態の発生頻度を低減させる。【解決手段】繰出部による紙幣の繰り出し及び搬送部による紙幣の搬送の実行中に、複数の一時集積部の全てに集積させる予定の紙幣のトータル枚数が予め規定された規定枚数に達したとき（Ｓ１３６の判定処理で“Ｙｅｓ”）に、繰出部に紙幣の繰り出しを停止させ（Ｓ１５４）、その後に、集積枚数が移送枚数に達している一時集積部に対して、移送機構に紙幣の移送を行わせ（Ｓ１５５）、この移送によって、空の一時集積部ができたときに、繰出部に紙幣の繰り出しを再開させる。【選択図】図４Ｂ
2015046000.tif 000002
【特許請求の範囲】
【請求項１】
紙幣が投入される投入部と、前記紙幣が一時的に集積される複数の一時集積部と、前記紙幣を前記一時集積部に搬送する搬送部と、前記紙幣を前記投入部から前記搬送部に繰り出す繰出部と、各部の動作を制御する制御部とを有する紙幣整理装置において、
前記搬送部によって搬送される前記紙幣の枚数を計数し、枚数を搬送先毎に管理する計数部を有し、
前記制御部は、
前記計数部によって管理されている前記一時集積部に集積されている前記紙幣の集積枚数を参照して、前記繰出部による前記紙幣の繰り出し及び前記搬送部による前記紙幣の搬送の実行中に、前記複数の一時集積部の全てに集積させる予定の前記紙幣のトータル枚数が予め規定された規定枚数に達したときに、前記繰出部に前記紙幣の繰り出しを停止させる
ことを特徴とする紙幣整理装置。
【請求項２】
請求項１に記載の紙幣整理装置において、
さらに、前記紙幣を前記一時集積部から所定の場所に移送する移送機構を有し、
前記制御部は、
前記紙幣の繰り出しを停止させた後に、集積枚数が前記移送枚数に達している前記一時集積部に対して、前記移送機構に前記紙幣の移送を行わせ、この移送によって、空の一時集積部ができたときに、前記繰出部に前記紙幣の繰り出しを再開させる
ことを特徴とする紙幣整理装置。
【請求項３】
請求項２に記載の紙幣整理装置において、
さらに、前記紙幣の金種を鑑別する鑑別部を有し、
任意の処理の実行の起因となる集積枚数で、かつ、前記移送枚数よりも少ない集積枚数を処理実行枚数とし、
前記制御部は、
鑑別の対象となる前記紙幣の金種が前記紙幣の種類及び方向を含む複数種類ある場合で、かつ、搬送中の前記紙幣の金種に対応する搬送先として使用されている一時集積部の集積枚数が前記処理実行枚数に達しているとともに、前記搬送中の紙幣と同じ金種の紙幣が集積されていて、その集積枚数が前記移送枚数に達している他の一時集積部があるときに、前記繰出部に前記紙幣の繰り出しを停止させ、
前記紙幣の繰り出しを停止させた後に、前記他の一時集積部に対して、前記移送機構に前記紙幣の移送を行わせ、この移送によって、空の一時集積部ができたときに、前記繰出部に前記紙幣の繰り出しを再開させる
ことを特徴とする紙幣整理装置。
【請求項４】
請求項３に記載の紙幣整理装置において、
さらに、オペレータによる前記紙幣の取り出しが自在なポケットを有し、
前記制御部は、
鑑別の対象となる前記紙幣の金種が前記紙幣の種類及び方向を含む複数種類ある場合で、かつ、前記繰出部による前記紙幣の繰り出し及び前記搬送部による前記紙幣の搬送の実行中に、前記複数の一時集積部の全てが前記移送機構による前記紙幣の移送の実行を待つ移送待ち状態になったときに、前記搬送部に、その時点ですでに前記投入部から繰り出されている前記紙幣を前記ポケットまで搬送させる
ことを特徴とする紙幣整理装置。
【請求項５】
請求項１乃至請求項４のいずれか一項に記載の紙幣整理装置において、
さらに、前記紙幣を施封する施封部を有し、
前記施封部による前記紙幣の施封を行うために規定された集積枚数を施封枚数とし、
前記制御部は、
集積枚数が前記移送枚数に達している前記一時集積部に対して、前記移送機構に前記一時集積部から前記施封部への前記紙幣の移送を行わせる
ことを特徴とする紙幣整理装置。
【請求項６】
請求項１乃至請求項５のいずれか一項に記載の紙幣整理装置において、
前記制御部は、
前記繰出部に対して前記紙幣を繰り出させる速度モードを複数レベルで設定することができ、
前記繰出部に対して前記紙幣の繰り出しを停止させる場合に、前記速度モードのレベルに応じて、停止されるまでに繰り出す前記紙幣の枚数を調整する
ことを特徴とする紙幣整理装置。
【発明の詳細な説明】
【技術分野】
【０００１】
本発明は、紙幣を所定の枚数毎に整理する紙幣整理装置に関する。
【背景技術】
【０００２】
例えば、銀行や郵便局等の金融機関、スーパーマーケットや量販店、ショッピングセンタ等の流通機関では、紙幣を所定の枚数毎に整理する紙幣整理装置が使用されている。その紙幣整理装置の一種として、例えば、紙幣を所定の枚数毎に施封（結束）する紙幣施封装置がある。
【０００３】
紙幣施封装置として構成された紙幣整理装置は、例えば、紙幣が投入される投入部と、紙幣を搬送する搬送部と、紙幣を投入部から搬送部に繰り出す繰出部と、紙幣の金種や正損等を鑑別する鑑別部と、紙幣が一時的に集積される複数の一時集積部と、紙幣を一時集積部から所定の場所に移送する移送機構と、紙幣を施封（結束）する施封部とを有している。
【０００４】
なお、紙幣整理装置は、さらに、各種の情報（例えば、紙幣を整理するための設定画面や、紙幣の搬送状態等）が表示される表示部と、オペレータ（装置の使用者）によって各種の操作情報（例えば、整理する紙幣の金種や枚数等）が入力される操作部と、オペレータが集積された紙幣を直接取り出すことが可能なポケットと、鑑別部で正常でないと鑑別された紙幣（例えば、偽券や、金種不明、鑑別不能等の理由で集積不可と鑑別された紙幣）等が集積されるリジェクト部とを有する。以下、鑑別部で正常でないと鑑別された結果、リジェクト部に集積された紙幣を「リジェクト紙幣」と称する。
【０００５】
係る構成において、移送機構は、例えば、一時集積部に集積された紙幣の枚数が施封を実行するために予め規定された枚数（以下、「施封枚数」と称する）に達した場合に、紙幣を一時集積部から施封部に移送する。施封部は、紙幣が一時集積部から移送されると、移送されたままの状態で紙幣を施封して装置の外部に排出する。
【先行技術文献】
【特許文献】
【０００６】
【特許文献１】特開２０１１−１２３５７３号公報
【発明の概要】
【発明が解決しようとする課題】
【０００７】
しかしながら、従来の紙幣整理装置は、以下に説明するように、一時集積部が満杯状態になることによって発生する、待機状態の発生頻度を低減させることが望まれている、という課題があった。
【０００８】
一般に、紙幣整理装置は、移送機構による移送処理時間と施封部による紙幣（施封枚数分の紙幣）の施封処理時間との合計時間が、繰出部による紙幣（１枚の紙幣）の繰り出し時間と搬送部による紙幣の搬送時間との合計時間（つまり、繰出部が１枚の紙幣を投入部から搬送部に繰り出してから、搬送部がその紙幣を一時集積部に搬送して集積させるまでの時間）よりも長い。
【０００９】
そのため、従来の紙幣整理装置は、絶え間なく紙幣を投入部から搬送部に繰り出して一時集積部に搬送し続けると、施封部が施封処理を実行している最中に、搬送先の一時集積部が満杯状態になってしまう場合があった。
【００１０】
この場合に、従来の紙幣整理装置は、紙幣を搬送先の一時集積部から施封部に移送することができなくなる。そのため、従来の紙幣整理装置は、繰出部による紙幣の繰り出しを停止するように構成されている。このとき、従来の紙幣整理装置は、１乃至複数枚の紙幣がすでに投入部から搬送部に繰り出されていれば、繰り出されている紙幣をリジェクト部に搬送する。そして、従来の紙幣整理装置は、繰出部による紙幣の繰り出し及び搬送部による紙幣の搬送（以下、「紙幣の繰り出し及び搬送」と称する）を停止し、施封部による施封処理が完了して、搬送先の一時集積部が空の状態になるまで、待機状態（施封完了待ち状態）になる。
【００１１】
なお、このとき、紙幣が１枚も集積されていない状態の一時集積部（以下、「空の一時集積部」と称する）があれば、従来の紙幣整理装置は、搬送先を空の一時集積部に切り替えることによって、待機状態とならずに、紙幣の繰り出し及び搬送を継続することができる。
【００１２】
しかしながら、それでも、従来の紙幣整理装置は、絶え間なく紙幣を投入部から搬送部に繰り出して一時集積部に搬送し続けると、いずれかの時点で、施封部が施封処理を実行している最中に、全ての一時集積部が満杯状態になり、空の一時集積部が無くなってしまう場合があった。
【００１３】
この場合に、従来の紙幣整理装置は、紙幣をいずれの一時集積部にも搬送することができなくなる。そのため、従来の紙幣整理装置は、紙幣の繰り出し及び搬送を停止する。このとき、従来の紙幣整理装置は、１乃至複数枚の紙幣がすでに投入部から搬送部に繰り出されていれば、繰り出されている紙幣をリジェクト部に搬送する。そして、従来の紙幣整理装置は、紙幣の繰り出し及び搬送を停止し、施封部による施封処理が完了して、空の一時集積部が１つ以上できるまで、待機状態になる。
【００１４】
なお、このとき、従来の紙幣整理装置は、空の一時集積部が１つ以上できたら、すぐに、紙幣の繰り出し及び搬送を再開することができるように、繰出部及び搬送部の稼動を停止させずに、待機する。そして、従来の紙幣整理装置は、施封部による紙幣の施封処理が完了して、空の一時集積部が１つ以上できると、紙幣の繰り出し及び搬送を再開する。
【００１５】
このような従来の紙幣整理装置は、一時集積部が満杯状態になることによって、待機状態が発生し易いため、その発生頻度を低減させることが望まれていた。
【００１６】
本発明は、前記した課題を解決するためになされたものであり、一時集積部が満杯状態になることにより発生する、待機状態の発生頻度を低減させる紙幣整理装置を提供することを主な目的とする。
【課題を解決するための手段】
【００１７】
前記目的を達成するため、本発明は、紙幣が投入される投入部と、前記紙幣が一時的に集積される複数の一時集積部と、前記紙幣を前記一時集積部に搬送する搬送部と、前記紙幣を前記投入部から前記搬送部に繰り出す繰出部と、各部の動作を制御する制御部とを有する紙幣整理装置であって、前記搬送部によって搬送される前記紙幣の枚数を計数し、枚数を搬送先毎に管理する計数部を有し、前記制御部は、前記計数部によって管理されている前記一時集積部に集積されている前記紙幣の集積枚数を参照して、前記繰出部による前記紙幣の繰り出し及び前記搬送部による前記紙幣の搬送の実行中に、前記複数の一時集積部の全てに集積させる予定の前記紙幣のトータル枚数が予め規定された規定枚数に達したときに、前記繰出部に前記紙幣の繰り出しを停止させる構成とする。
【発明の効果】
【００１８】
本発明によれば、一時集積部が満杯状態になることによって発生する、待機状態の発生頻度を低減させる紙幣整理装置を提供することができる。
【図面の簡単な説明】
【００１９】
【図１】実施形態１に係る紙幣整理装置の構成を示す図（１）である。
【図２】実施形態１に係る紙幣整理装置の構成を示す図（２）である。
【図３Ａ】比較例に係る紙幣整理装置の動作を示すフローチャート（１）である。
【図３Ｂ】比較例に係る紙幣整理装置の動作を示すフローチャート（２）である。
【図３Ｃ】比較例に係る紙幣整理装置の動作を示すフローチャート（３）である。
【図４Ａ】実施形態１に係る紙幣整理装置の動作を示すフローチャート（１）である。
【図４Ｂ】実施形態１に係る紙幣整理装置の動作を示すフローチャート（２）である。
【図５Ａ】実施形態２に係る紙幣整理装置の動作を示すフローチャート（１）である。
【図５Ｂ】実施形態２に係る紙幣整理装置の動作を示すフローチャート（２）である。
【図５Ｃ】実施形態２に係る紙幣整理装置の動作を示すフローチャート（３）である。
【図５Ｄ】実施形態２に係る紙幣整理装置の動作を示すフローチャート（４）である。
【図５Ｅ】実施形態２に係る紙幣整理装置の動作を示すフローチャート（５）である。
【図６】実施形態３に係る紙幣整理装置の動作を示すフローチャートである。
【図７】変形例で用いる停止枚数切替用テーブル情報の一例を示す図である。
【発明を実施するための形態】
【００２０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２１】
［実施形態１］
＜紙幣整理装置の構成＞
本実施形態１に係る紙幣整理装置１００は、紙幣を所定の枚数毎に整理する装置である。以下、図１及び図２を参照して、本実施形態１に係る紙幣整理装置１００の構成につき説明する。図１及び図２は、それぞれ、本実施形態１に係る紙幣整理装置１００の構成を示す図である。図１は、主に紙幣整理装置１００の内部の機構系の構成を示している。また、図２は、紙幣整理装置１００の制御系の構成を示している。
【００２２】
ここでは、紙幣整理装置１００は、紙幣を施封（結束）する施封部を有する紙幣施封装置として構成されている場合を想定して説明する。ただし、本発明は、紙幣を集積部に集積させる集積機構を有する構成であれば、施封部を持たない装置であっても適用することができる。
【００２３】
図１に示すように、紙幣整理装置１００は、投入部１、鑑別部２、表裏反転部４、オープンポケット５、集積機構６、一時集積部７、リジェクト部８、移送機構９、施封部１０、放出口１１、操作部１２、及び、表示操作部１３を有している。
【００２４】
投入部１は、紙幣が投入される部位である。投入部１の周囲には、繰出部ＳＯが設けられている。繰出部ＳＯは、投入部１に投入された紙幣を１枚ずつに分離して投入部１から搬送部３に繰り出す機構である。
【００２５】
鑑別部２は、紙幣の金種（主に、紙幣の額面等の種類）や、表裏方向、真偽、正損等を鑑別する構成要素である。鑑別部２の下流側には、紙幣の搬送状態を監視する搬送監視センサＳＮが設けられている。紙幣整理装置１００の制御部１１０（図２参照）は、鑑別部２による鑑別結果及び搬送監視センサＳＮによる検知結果に基づいて、紙幣の搬送先を決定し、搬送部３に紙幣を搬送先まで搬送させる。
【００２６】
搬送部３は、搬送路に沿って紙幣を搬送する構成要素である。
表裏反転部４は、紙幣の表裏を反転させる機構である。表裏反転部４は、鑑別部２の下流側に設けられている。
【００２７】
オープンポケット５は、任意の紙幣を集積させる部位である。本実施形態１では、紙幣整理装置１００が、施封対象外の金種の紙幣を集積させる部位として、オープンポケット５を用いる場合を想定して説明する。本実施形態１では、オープンポケット５は、装置外部に露出する構成になっている。オペレータは、オープンポケット５に集積された紙幣を手で直接触ることができる。ただし、紙幣整理装置１００は、オープンポケット５の代わりに、装置外部に露出しないポケット（例えば、扉等によって装置内部に隠されたポケット）を有する構成にすることができる。また、オープンポケット５やポケットは、１箇所に限らず、複数個所設けるようにしてもよい。
【００２８】
集積機構６は、紙幣を一時集積部７に集積する機構である。また、一時集積部７は、紙幣が一時的に集積される部位である。本実施形態１では、紙幣整理装置１００は、一時集積部７として、５箇所の一時集積部７ａ〜７ｅを有しているものとして説明する。一時集積部７ａ〜７ｅは、それぞれ、予め規定された施封枚数（例えば、１００枚）の紙幣が集積される。ただし、一時集積部７は、５箇所に限らず、５以外の複数箇所設けるようにしてもよい。
【００２９】
ここで、「施封枚数」とは、紙幣の施封を実行するために予め規定された枚数を意味している。この「施封枚数」は、紙幣を一時集積部７から施封部１０に移送するために規定される枚数（移送枚数）でもある。以下、「施封枚数」を「移送枚数」と称する場合がある。
【００３０】
リジェクト部８は、鑑別部２で正常でないと鑑別されたリジェクト紙幣（例えば、偽券や、金種不明、鑑別不能等の理由で集積不可と鑑別された紙幣）等が集積される部位である。オペレータは、リジェクト部８に集積されたリジェクト紙幣を手で直接触ることができる。なお、紙幣整理装置１００は、搬送監視センサＳＮによって搬送の異常が検知された紙幣も、リジェクト紙幣として、リジェクト部８に搬送して集積する。本実施形態１では、リジェクト部８は、投入部１の上方に設けられているものとして説明する。リジェクト部８は、１箇所に限らず、複数個所設けるようにしてもよい。
【００３１】
移送機構９は、一時集積部７に集積された紙幣を一時集積部７から所定の場所（本実施形態１では、施封部１０）に移送する機構である。ここでは、移送機構９は、図１に示すように、爪状の部材で紙幣を挟み込んで保持し、その状態で紙幣を施封部１０に移送する構成になっているものとして説明する。
【００３２】
施封部１０は、紙テープ等の結束帯によって紙幣を施封する機構である。放出口１１は、施封部１０によって施封された紙幣（紙幣束）を装置外部に放出するための開口部である。
【００３３】
操作部１２は、紙幣整理装置１００を操作する構成要素である。本実施形態１では、操作部１２は、紙幣整理装置１００の上面のオープンポケット５の前方に設けられているものとして説明する。操作部１２には、各種の操作ボタン（例えば、紙幣の計数及び施封処理の実行を紙幣整理装置１００に指示する計数開始ボタンや、計数及び施封処理の完了を確認する完了ボタン、障害復旧時等に紙幣整理装置１００に再稼動させるリセットボタン等）が設けられている。また、操作部１２には、各種の表示ランプ（例えば、装置の稼動状態や、紙幣の搬送状態、紙幣の集積状態等を表す状態表示ランプ）も設けられている。状態表示ランプは、例えば、稼動時に緑色に発光し、アラーム時に赤色に発光する。
【００３４】
表示操作部１３は、操作部１２と同様に、紙幣整理装置１００を操作する構成要素である。本実施形態１では、表示操作部１３は、紙幣整理装置１００の上面のオープンポケット５の後方に設けられているものとして説明する。表示操作部１３は、例えば、ＬＣＤと、ＬＣＤの表面に配置されたタッチパネルとで構成される。
【００３５】
表示操作部１３は、各種の情報（例えば、鑑別部２で鑑別された紙幣の金種や正損、後記する計数部１１６で計数された計数結果等の情報）を表示する。また、表示操作部１３は、各種の設定情報の入力を受け付ける。オペレータは、表示操作部１３を操作して、例えば、動作モードの指定や、各一時集積部７ａ〜７ｅに集積させる紙幣の金種（施封対象の紙幣の金種）、オープンポケット５に集積させる紙幣の金種（施封対象外の紙幣の金種）等を紙幣整理装置１００に設定する。なお、紙幣整理装置１００は、そのような情報の設定が無い場合に、施封対象外の金種の紙幣をリジェクト紙幣としてリジェクト部８に搬送する。
【００３６】
紙幣整理装置１００は、さらに、図２に示すように、制御部１１０、カウンタ１１５、及び、記憶部１２０を有している。制御部１１０は、各部の動作を制御する機能手段であり、ＣＰＵが記憶部１２０に予め格納された制御プログラムを実行することによって構成される。カウンタ１１５は、搬送部３によって搬送される紙幣の枚数が格納される構成要素である。記憶部１２０は、制御プログラムや各種の情報（例えば、設定情報や動作履歴等）を記憶する記憶手段である。
【００３７】
本実施形態１では、紙幣整理装置１００は、カウンタ１１５として、各一時集積部７ａ〜７ｅに対応するカウンタ１１５ａ〜１１５ｅと、オープンポケット５に対応するカウンタ１１５ｆと、リジェクト部８に対応するカウンタ１１５ｇとを有しているものとして説明する。
【００３８】
本実施形態１では、制御部１１０と搬送監視センサＳＮとカウンタ１１５は、計数部１１６を構成している。計数部１１６は、搬送部３によって搬送される紙幣の枚数を計数し、枚数を搬送先毎に管理する機能手段である。なお、計数部１１６は、搬送監視センサＳＮの検知結果に基づいて、紙幣の搬送の異常を検出する機能も有している。
【００３９】
計数部１１６は、鑑別部２による鑑別結果及び搬送監視センサＳＮによる検知結果に基づいて、搬送中の紙幣の枚数を搬送先毎に区分して、その枚数に応じて搬送先に対応する各カウンタ１１５ａ〜１１５ｇの値を更新する。例えば、計数部１１６は、１枚の紙幣が一時集積部７ａ〜７ｅとオープンポケット５とリジェクト部８とのいずれか１箇所に搬送される毎に、搬送先に対応するカウンタ１１５ａ〜１１５ｇの値を１つ繰り上げる。
【００４０】
また、計数部１１６は、一時集積部７ａ〜７ｅに集積された紙幣が移送機構９によって施封部１０に移送されると、対応するカウンタ１１５の値をリセットする（「０」にする）。また、計数部１１６は、オペレータがオープンポケット５及びリジェクト部８のいずれか一方又は双方から紙幣を取り出した場合にも、対応するカウンタ１１５の値をリセットする（「０」にする）。
【００４１】
計数部１１６は、このようにカウンタ１１５の値を変更することによって、各部位（主に、一時集積部７）に搬送されて集積されている紙幣の集積枚数を管理する。なお、「紙幣の集積枚数」は、紙幣を搬送中の場合には、搬送路上に紙幣が存在するため、厳密には、集積させる予定の紙幣の枚数となる。制御部１１０は、紙幣を所定の枚数毎に整理する場合に、カウンタ１１５の値を参照して、つまり、各部位（主に、一時集積部７）に搬送されて集積されている紙幣の集積枚数を参照して、搬送部３や集積機構６、移送機構９、施封部１０等を適宜駆動させる。これにより、制御部１１０は、例えば、搬送部３に紙幣を一時集積部７に搬送させて、集積機構６に紙幣を一時集積部７に集積させたり、また、移送機構９に一時集積部７に集積された紙幣（紙幣束）を施封部１０に移送させて、施封部１０に紙幣を施封させたりする。
【００４２】
＜紙幣整理装置の動作＞
以下、各図面を参照して、紙幣整理装置１００の動作につき説明する。なお、紙幣整理装置１００は、図示せぬタイマによって計測された時間に基づいて動作する。また、紙幣整理装置１００の一連の動作は、記憶部１２０に読み出し自在に予め格納された制御プログラムによって規定されている。以下、これらの点については、情報処理では常套手段であるので、その詳細な説明を省略する。
【００４３】
ここでは、紙幣整理装置１００の動作を分かり易く説明するために、まず、図３Ａ〜図４Ｃを参照して、比較例に係る紙幣整理装置６００（図示せず）の動作を説明し、次に、図４Ａ及び図４Ｂを参照して、本実施形態１に係る紙幣整理装置１００の動作を説明し、その後に、本実施形態１に係る紙幣整理装置１００の運用に即した動作例を説明する。比較例に係る紙幣整理装置６００（図示せず）は、従来の紙幣整理装置と同様の動作を行う装置である。なお、ここでは、対象金種が紙幣の種類（額面）となっている場合を想定して説明する。
【００４４】
（比較例に係る紙幣整理装置の動作）
まず、図３Ａ〜図３Ｃを参照して、比較例に係る紙幣整理装置６００（図示せず）の動作について説明する。図３Ａ〜図３Ｃは、それぞれ、比較例に係る紙幣整理装置６００の動作を示すフローチャートである。ここでは、比較例に係る紙幣整理装置６００が本実施形態１に係る紙幣整理装置１００と同様の構成要素（図１及び図２参照）を備えている場合を想定して説明する。以下に説明する紙幣整理装置６００の動作は、制御部１１０が各種の判定を行ったり各部を駆動させたりすることによって実現される。
【００４５】
紙幣整理装置６００は、例えば、オペレータが、整理させる予定の紙幣束を投入部１に投入し、表示操作部１３を操作して、各紙幣をどこにどのように整理させるのか等の設定情報を紙幣整理装置６００に入力し、操作部１２に設けられた図示せぬ計数開始ボタンを押下することにより、紙幣の整理処理を開始する。
【００４６】
図３Ａに示すように、紙幣整理装置６００は、まず、繰出部ＳＯが、投入部１に投入された紙幣束を１枚の紙幣ずつに分離して、分離された各紙幣を順次投入部１から搬送部３に繰り出す（Ｓ１０５）。すると、搬送部３が、繰り出された鑑別部２に搬送する。
【００４７】
このとき、鑑別部２が紙幣の金種を鑑別し、搬送監視センサＳＮが紙幣の搬送状態を検知し、制御部１１０が鑑別部２による鑑別結果及び搬送監視センサＳＮによる検知結果に基づいて搬送中の紙幣の搬送先を決定する（Ｓ１１０）。
【００４８】
Ｓ１１０の後、制御部１１０は、搬送先が一時集積部７であるか否かを判定する（Ｓ１１５）。Ｓ１１５の判定処理で、搬送先が一時集積部７であると判定された場合（“Ｙｅｓ”の場合）に、紙幣整理装置６００の処理は、符号「Ａ１」を介して、Ｓ１３５（図３Ｂ参照）に進む。一方、Ｓ１１５の判定処理で、搬送先が一時集積部７でないと判定された場合（“Ｎｏ”の場合）に、制御部１１０は、搬送先がオープンポケット５であるか否かを判定する（Ｓ１２０）。
【００４９】
紙幣整理装置６００は、Ｓ１２０の判定処理で、搬送先がオープンポケット５であると判定された場合（“Ｙｅｓ”の場合）に、紙幣をオープンポケット５に搬送し（Ｓ１２５）、一方、搬送先がオープンポケット５でないと判定された場合（“Ｎｏ”の場合）に、紙幣をリジェクト部８に搬送する（Ｓ１３０）。このとき、計数部１１６が、紙幣の搬送のタイミング（厳密には、紙幣が搬送監視センサＳＮを通過した直後のタイミング）に合わせて、紙幣が１枚ずつ搬送先に搬送される毎に、搬送先のオープンポケット５に対応するカウンタ１１５ｆ又は搬送先のリジェクト部８に対応するカウンタ１１５ｇの値を１つ繰り上げる（以下、同様）。Ｓ１２５又はＳ１３０の後、紙幣整理装置６００の処理は、符号「Ａ２」を介して、Ｓ１４５（図３Ｂ参照）に進む。
【００５０】
図３Ｂに示すように、Ｓ１１５の判定処理で、搬送先が一時集積部７であると判定された場合（“Ｙｅｓ”の場合）に、制御部１１０は、カウンタ１１５を参照して、「使用中の一時集積部７」に集積されている紙幣の枚数が移送枚数（施封枚数）に達したか否かを判定する（Ｓ１３５）。
【００５１】
ここで、「使用中の一時集積部７」とは、Ｓ１１０の処理で決定された搬送中の紙幣の搬送先として使用する、一時集積部７ａ〜７ｅの中のいずれか１つの一時集積部７を意味している。
【００５２】
Ｓ１３５の判定処理で、使用中の一時集積部７に集積されている紙幣の枚数が移送枚数（施封枚数）に達していないと判定された場合（“Ｎｏ”の場合）に、紙幣整理装置６００は、紙幣を使用中の一時集積部７に搬送する（Ｓ１４０）。このとき、計数部１１６が、紙幣の搬送のタイミング（厳密には、紙幣が搬送監視センサＳＮを通過した直後のタイミング）に合わせて、紙幣が１枚ずつ搬送先の一時集積部７に搬送される毎に、カウンタ１１５ａ〜１１５ｅの中の、搬送先の一時集積部７に対応するいずれか１つのカウンタ１１５の値を１つ繰り上げる（以下、同様）。
【００５３】
Ｓ１４０の後、制御部１１０は、投入部１に設けられた図示せぬ紙幣検知センサの検知結果に基づいて、投入部１が「空（の状態）」になったか否かを判定する（Ｓ１４５）。ここでは、「空（の状態）」とは、紙幣が１枚も無い状態を意味している。
【００５４】
Ｓ１４５の判定処理で、投入部１が空になっていないと判定された場合（“Ｎｏ”の場合）に、紙幣整理装置６００の処理は、符号「Ａ４」を介して、Ｓ１０５（図３Ａ参照）に戻る。
【００５５】
一方、Ｓ１４５の判定処理で、投入部１が空になったと判定された場合（“Ｙｅｓ”の場合）に、制御部１１０は、オペレータによって操作部１２の完了ボタン（図示せず）が押下されたか否かを判定する（Ｓ１５０）。
【００５６】
Ｓ１５０の判定処理で、完了ボタンが押下されたと判定された場合（“Ｙｅｓ”の場合）に、一連のルーチンが終了する。一方、Ｓ１５０の判定処理で、完了ボタンが押下されていないと判定された場合（“Ｎｏ”の場合）に、紙幣整理装置６００の処理は、Ｓ１４５に戻る。その結果、紙幣整理装置６００は、完了ボタンが押下されるまで、Ｓ１４５及びＳ１５０の判定処理を繰り返す。
【００５７】
その際に、紙幣整理装置６００は、オペレータが、後記するＳ１７０でリジェクト部８に搬送された紙幣を投入部１に再投入したり、追加の紙幣を投入部１に投入したりする場合がある。この場合に、投入部１が空の状態でなくなる。そのため、制御部１１０は、Ｓ１４５の判定処理で、投入部１が空になっていない（“Ｎｏ”）と判定することになる。その結果、紙幣整理装置６００の処理は、符号「Ａ４」を介して、Ｓ１０５（図３Ａ参照）に戻る。これにより、紙幣整理装置６００は、紙幣の繰り出しを再開し、投入部１が空になるまで、一連のルーチンの処理を繰り返す。
【００５８】
前記したＳ１３５の判定処理で、使用中の一時集積部７に集積されている紙幣の枚数が移送枚数（施封枚数）に達したと判定された場合（“Ｙｅｓ”の場合）に、紙幣整理装置６００は、使用中の一時集積部７に集積されている紙幣（施封枚数分の紙幣）を施封部１０に移送し、移送された紙幣を施封する処理（以下、「紙幣の移送・施封処理」と称する）を開始する（Ｓ１５５）。そして、紙幣整理装置６００は、施封された紙幣を放出口１１から外部に放出する。
【００５９】
なお、計数部１１６は、施封が完了して、施封された紙幣が放出口１１から外部に放出されると、そのタイミングに合わせて、カウンタ１１５ａ〜１１５ｅの中の、紙幣の移送元となった使用中の一時集積部７に対応するいずれか１つのカウンタ１１５の値をリセットする（以下、同様）。
【００６０】
ところで、紙幣整理装置６００は、移送機構９による移送処理時間と施封部１０による紙幣（施封枚数分の紙幣）の施封処理時間との合計時間が、繰出部ＳＯによる紙幣（１枚の紙幣）の繰り出し時間と搬送部３による紙幣の搬送時間との合計時間（つまり、繰出部ＳＯが１枚の紙幣を投入部１から搬送部３に繰り出してから、搬送部３がその紙幣を一時集積部７に搬送して集積させるまでの時間）よりも長い。
【００６１】
そのため、Ｓ１５５で紙幣の移送・施封処理を行う際に、紙幣の移送元となった使用中の一時集積部７に対応するカウンタ１１５の値が、すぐにはリセットされない。したがって、紙幣整理装置６００は、そのカウンタ１１５の値がリセットされるまで、紙幣を紙幣の移送元となった使用中の一時集積部７にすぐには搬送することができない状態になる。
【００６２】
そのため、紙幣整理装置６００は、使用中の一時集積部７に搬送すべき紙幣が投入部１の中又は搬送路上に存在する場合に、以下に説明する第１処理及び第２処理のいずれか一方の処理を行う必要がある。
【００６３】
（第１処理）搬送先として使用する一時集積部７を使用中の一時集積部７から他の空の一時集積部７に変更する処理。
（第２処理）紙幣の移送・施封処理が完了して、移送元となった一時集積部７が「空の状態」になるまで、繰出部ＳＯによる紙幣の繰り出しを停止するとともに、紙幣の繰り出しを停止するまでにすでに搬送部３に繰り出された紙幣があれば、繰り出された紙幣をリジェクト部８に搬送する処理。
【００６４】
ここで、一時集積部７が「空の状態」とは、移送元となった一時集積部７に対応するカウンタ１１５の値がリセットされた状態（つまり、移送元となった一時集積部７が空の状態として制御部１１０に認識される状態）を意味している。
【００６５】
紙幣整理装置６００は、Ｓ１５５の後の処理として、前記した第１処理及び第２処理のいずれか一方の処理を選択的に行う構成になっている。例えば、Ｓ１５５の後、紙幣整理装置６００の処理は、符号「Ａ３」を介して、Ｓ１６０（図３Ｃ参照）に進む。
【００６６】
図３Ｃに示すように、Ｓ１５５で紙幣の移送・施封処理が行われると、制御部１１０は、カウンタ１１５を参照して、使用中の一時集積部７以外の空の一時集積部７があるか否かを判定する（Ｓ１６０）。なお、Ｓ１３５で“Ｙｅｓ”と判定されてからＳ１６０の判定処理を行うまでの時間は、１ｍｓ以下である。
【００６７】
Ｓ１６０の判定処理で、使用中の一時集積部７以外の空の一時集積部７があると判定された場合（“Ｙｅｓ”の場合）に、紙幣整理装置６００は、前記した第１処理を行う。この場合に、まず、制御部１１０が、搬送先として使用する一時集積部７を、使用中の一時集積部７から空の一時集積部７に変更する（Ｓ１８５）。なお、空の一時集積部７に対応するカウンタ１１５の値は、「０」になっている（以下、同様）。
【００６８】
Ｓ１８５の後、紙幣整理装置６００は、紙幣を、新たに搬送先となった空の一時集積部７に搬送する（Ｓ１９０）。このとき、計数部１１６が、新たに搬送先となった空の一時集積部７に対応するカウンタ１１５の値を１つ繰り上げる（以下、同様）。
【００６９】
Ｓ１９０の後、紙幣整理装置６００の処理は、符号「Ａ２」を介して、Ｓ１４５（図３Ｂ参照）に進む。その結果、紙幣整理装置６００は、前記したＳ１４５及びＳ１５０の判定処理を行う。そして、Ｓ１５０の判定処理で、完了ボタンが押下されたと判定された場合（“Ｙｅｓ”の場合）に、一連のルーチンが終了する。
【００７０】
また、Ｓ１６０の判定処理で、使用中の一時集積部７以外の空の一時集積部７が無いと判定された場合（“Ｎｏ”の場合）に、紙幣整理装置６００は、前記した第２処理を行う。この場合に、紙幣整理装置６００は、繰出部ＳＯによる紙幣の繰り出しを停止する（Ｓ１６５）。「紙幣の繰り出しの停止」処理は、Ｓ１５５で開始される紙幣の移送・施封処理（移送機構９による移送処理及び施封部１０により施封処理）が完了して、移送元となった一時集積部７に対応するカウンタ１１５の値がリセットされた状態（つまり、移送元となった一時集積部７が空の状態として制御部１１０に認識される状態）になるまで、行われる。具体的には、「紙幣の繰り出しの停止」処理は、後記するＳ１７５の判定処理で“Ｙｅｓ”になるまで、行われる。
【００７１】
Ｓ１６５の後、紙幣整理装置６００は、紙幣の繰り出しを停止するまでにすでに搬送部３に繰り出された紙幣があれば、繰り出された紙幣をリジェクト部８に搬送する（Ｓ１７０）。このとき、計数部１１６が、リジェクト部８に対応するカウンタ１１５ｇの値を１つ繰り上げる。
【００７２】
なお、Ｓ１７０の処理時において、リジェクト部８に搬送される、すでに繰り出された紙幣は、主に、繰出部ＳＯから、鑑別部２の後のリジェクト部８と表裏反転部４とに分岐する箇所までの間の、搬送路上に存在する。
【００７３】
また、Ｓ１７０の処理を実行した結果、リジェクト部８に搬送された紙幣は、鑑別部２で正常でないと鑑別されたリジェクト紙幣ではなく、紙幣の繰り出し及び搬送中に、全ての一時集積部７が満杯状態になり、空の一時集積部７が無かったために、リジェクト部８に搬送された紙幣である。したがって、このときリジェクト部８に搬送された紙幣は、鑑別部２で再鑑別する必要がある。そのため、比較例に係る紙幣整理装置６００は、このときリジェクト部８に搬送された紙幣を、オペレータに投入部１に再投入させることを強いる。
【００７４】
Ｓ１７０の後、制御部１１０は、カウンタ１１５を参照して、空の一時集積部７ができたか否かを判定し（Ｓ１７５）、空の一時集積部７ができたと判定されるまで（Ｓ１７５の判定処理で“Ｙｅｓ”となるまで）、待機状態になる。つまり、紙幣整理装置６００は、空の一時集積部７ができるまで、紙幣の繰り出しを停止し続ける状態になる。
【００７５】
Ｓ１７５の判定処理で、空の一時集積部７ができたと判定された場合（“Ｙｅｓ”の場合）に、制御部１１０は、搬送先として使用する一時集積部７を使用中の一時集積部７から空の一時集積部７に変更する（Ｓ１８０）。Ｓ１８０の後、紙幣整理装置６００の処理は、符号「Ａ４」を介して、Ｓ１０５（図３Ａ参照）に戻る。これにより、紙幣整理装置６００は、紙幣の繰り出しを再開し、投入部１が空になるまで、一連のルーチンの処理を繰り返す。
【００７６】
（実施形態１に係る紙幣整理装置の動作）
次に、図４Ａ及び図４Ｂを参照して、本実施形態１に係る紙幣整理装置１００の動作について説明する。図４Ａ及び図４Ｂは、それぞれ、本実施形態１に係る紙幣整理装置１００の動作を示すフローチャートである。
【００７７】
ここでは、本実施形態１に係る紙幣整理装置１００の動作について、比較例に係る紙幣整理装置６００と相違する動作を重点的に説明し、比較例に係る紙幣整理装置６００と同様の動作（図３Ａ〜図３Ｃ参照）については、前記した比較例に係る紙幣整理装置６００の動作を本実施形態１に係る紙幣整理装置１００の動作に読み替えるものとして、重複した説明を省略する。
【００７８】
本実施形態１に係る紙幣整理装置１００は、制御部１１０が以下のように動作する構成になっている。すなわち、制御部１１０は、カウンタ１１５ａ〜１１５ｅを参照して、繰出部ＳＯによる紙幣の繰り出し及び搬送部３による紙幣の搬送の実行中に、一時集積部７ａ〜７ｅの全てに集積させる予定の紙幣のトータル枚数が予め規定された規定枚数に達したか否かを監視する。そして、制御部１１０は、紙幣のトータル枚数が規定枚数に達したときに、繰出部ＳＯに紙幣の繰り出しを停止させる。その後、制御部１１０は、紙幣の集積枚数が移送枚数に達している一時集積部７に対して、移送機構９に紙幣の移送を行わせ、この移送によって、空の一時集積部７ができたときに、繰出部ＳＯに紙幣の繰り出しを再開させる。
【００７９】
なお、「規定枚数」は、任意の処理（ここでは、紙幣の繰り出しの停止処理）の実行の起因とするために、予め設定された紙幣の集積枚数を意味している。本実施形態１では、紙幣整理装置１００は、紙幣の移送に先駆けて、紙幣の繰り出しを停止させることにより、紙幣の移送が実行されたときに、紙幣が搬送路上に存在しないようにするために、「規定枚数」を用いている。
【００８０】
例えば、紙幣整理装置１００は、仮に、繰出部１からの搬送距離が最も長い一時集積部７ｅで紙幣の移送が実行される場合で、かつ、繰出部１から一時集積部７ｅに紙幣を繰り出してから搬送するのに要する時間を「ｔ１」とする場合に、紙幣の移送の実行に対して、時間「ｔ１」よりも少しだけ長い時間「ｔ２」前に、紙幣の繰り出しの停止を行うようにし、その時間「ｔ２」を規定する枚数として、「規定枚数」を用いている。
【００８１】
つまり、紙幣整理装置１００は、紙幣のトータル枚数が規定枚数に達した時点を、紙幣の移送の実行に対する時間「ｔ２」前の時点と見なし、その時点で、紙幣の繰り出しの停止を行い、その後、時間「ｔ２」が経過するまでの間に、搬送路上の紙幣の搬送を行う。これにより、紙幣整理装置１００は、紙幣の移送が実行されるとき（すなわち、紙幣の繰り出しの停止を行ってから時間「ｔ２」が経過したとき）に、紙幣が搬送路上に存在しないようにする。
【００８２】
したがって、「規定枚数」は、繰出部ＳＯが時間「ｔ２」で繰出部１から繰り出す紙幣の枚数を「時間「ｔ２」分に相当する枚数」とする場合に、全ての一時集積部７で紙幣の集積枚数が移送枚数に達したと仮定した場合の移送枚数のトータル枚数から「時間「ｔ２」分に相当する枚数」を減算した値となる。例えば、各一時集積部７における移送枚数（施封枚数）が１００枚に設定されている場合に、５つの一時集積部７が紙幣整理装置１００の内部にあるため、仮に、全ての一時集積部７で紙幣の集積枚数が移送枚数に達したと仮定したときの、移送枚数のトータル枚数は、５００枚となる。「規定枚数」は、その５００枚よりも、若干少ない値の枚数（例えば、４９０枚）に設定される。なお、「時間「ｔ２」分に相当する枚数」は、繰出部ＳＯが紙幣を繰り出す速度（単位時間当たりに繰り出す紙幣の枚数）に応じて変動する。
【００８３】
「規定枚数」は、繰出部１から繰り出された紙幣が最も搬送距離の長い一時集積部７ｅに到達する平均時間に影響される。例えば、「規定枚数」は、平均時間が長くなれば、４９０枚よりも少なくなり、平均時間が短くなれば、４９０枚よりも多くなるように設定される。
【００８４】
このような紙幣整理装置１００は、一時集積部７が満杯状態（施封枚数に達した状態）になって、紙幣をどの一時集積部７にも搬送することができなくなる前に、紙幣の繰り出しを停止することができる。これにより、紙幣整理装置１００は、一時集積部７が満杯状態になった時点では、紙幣が搬送路上に存在しないようにすることができる。
【００８５】
紙幣整理装置１００は、例えば、図４Ａ及び図４Ｂに示すフローに沿って動作することにより、このような構成を実現している。本実施形態１に係る紙幣整理装置１００の動作は、図４Ｂに示すように、比較例に係る紙幣整理装置６００の動作と比較すると、（１）比較例のＳ１３５（図３Ｂ参照）の処理の代わりに、Ｓ１３６の処理が行われる点、（２）Ｓ１５５の処理（「移送・施封」の処理）よりも前に、Ｓ１５４の処理（「紙幣繰り出し停止」の処理）が行われる点、（３）比較例のＳ１６０、Ｓ１６５、Ｓ１７０、Ｓ１８５、及び、Ｓ１９０（図３Ｃ参照）の処理が無い点、並びに、（４）Ｓ１８０（図３Ｃ参照）の処理の代わりに、Ｓ１８１の処理が行われる点で、相違している。
【００８６】
具体的には、図４Ａ及び図４Ｂに示すように、Ｓ１１５の判定処理で、搬送先が一時集積部７であると判定された場合（“Ｙｅｓ”の場合）に、紙幣整理装置１００の処理は、符号「Ｂ１」を介して、Ｓ１３６に進む。
【００８７】
図４Ｂに示すように、Ｓ１１５の判定処理で、搬送先が一時集積部７であると判定された場合（“Ｙｅｓ”の場合）に、制御部１１０は、カウンタ１１５ａ〜１１５ｅを参照して、一時集積部７ａ〜７ｅの全てに集積させる予定の紙幣のトータル枚数が予め規定された規定枚数に達したか否かを判定する（Ｓ１３６）。
【００８８】
Ｓ１３６の判定処理で、一時集積部７ａ〜７ｅの全てに集積させる予定の紙幣のトータル枚数が規定枚数に達したと判定された場合（“Ｙｅｓ”の場合）に、紙幣整理装置１００は、紙幣の繰り出しを停止する（Ｓ１５４）。Ｓ１５４の後、紙幣整理装置１００は、紙幣の移送・施封処理（使用中の一時集積部７に集積されている紙幣（施封枚数分の紙幣）を施封部１０に移送し、移送された紙幣を施封する処理）を開始する（Ｓ１５５）。
【００８９】
Ｓ１５５の後、紙幣整理装置１００の処理は、Ｓ１７５の判定処理（「空の一時集積部７ができたか否か」の判定処理）に進む。Ｓ１７５の判定処理で、空の一時集積部７ができたと判定された場合（“Ｙｅｓ”の場合）に、制御部１１０は、搬送先として使用する一時集積部７を、紙幣の繰り出しの停止前に搬送先として使用していた一時集積部（以下、「停止前の一時集積部」と称する）７に維持する（Ｓ１８１）。それは、仮に、Ｓ１５５の時点で、停止前の一時集積部７が満杯状態になっていなければ、紙幣を停止前の一時集積部７に集積させることができ、一方、Ｓ１５５の時点で、停止前の一時集積部７が満杯状態になっていれば、紙幣の移送・施封処理が行われることによって、停止前の一時集積部７が空の状態になり、その結果、紙幣を停止前の一時集積部７に集積させることができるようになるからである。
【００９０】
Ｓ１８１の後、紙幣整理装置１００の処理は、符号「Ａ４」を介して、Ｓ１０５（図４Ａ参照）に戻る。これにより、紙幣整理装置１００は、紙幣の繰り出しを再開し、投入部１が空になるまで、一連のルーチンの処理を繰り返す。
【００９１】
（運用に即した動作例）
以下、本実施形態１に係る紙幣整理装置１００の運用に即した動作例を、比較例に係る紙幣整理装置６００の動作と対比して、説明する。ここでは、オペレータが、事前に、本実施形態１に係る紙幣整理装置１００に対して、表示操作部１３を操作して、「施封枚数」や「処理実行枚数」を設定しているものとして説明する。ただし、「施封枚数」や「処理実行枚数」の設定は、紙幣整理装置１００の制御部１１０が制御プログラムに基づいて自動的に行うようにしてもよい。
【００９２】
なお、「処理実行枚数」とは、前記した「規定枚数」に相当する枚数であり、「任意の処理」の実行の起因となる紙幣の集積枚数を意味している。ここでは、「任意の処理」が紙幣の繰り出し停止処理であるものとして説明する。また、オペレータが、各一時集積部７における施封枚数を「１００枚」に設定し（すなわち、全ての一時集積部７で紙幣の集積枚数が移送枚数に達した場合の移送枚数のトータル枚数を「５００枚」枚に設定し）、さらに、紙幣の繰り出し停止処理を実行するための「処理実行枚数」を「４９０枚」に設定しているものとして説明する。
【００９３】
図３Ｂに示すように、比較例に係る紙幣整理装置６００は、Ｓ１３５の処理で、搬送中の紙幣の搬送先となる使用中の一時集積部７（一時集積部７ａ〜７ｅのいずれか１つ）に注目し、使用中の一時集積部７が施封枚数（例えば、１００枚）に達したか否かを判定する。このとき、比較例に係る紙幣整理装置６００は、搬送中の紙幣の搬送先となる使用中以外の一時集積部７（一時集積部７ａ〜７ｅのいずれか４つ）の紙幣の集積状態を把握しない。
【００９４】
一方、図４Ｂに示すように、本実施形態１に係る紙幣整理装置１００は、Ｓ１３６の処理で、カウンタ１１５ａ〜１１５ｅを参照して、一時集積部７ａ〜７ｅの全てに集積させる予定の紙幣のトータル枚数が予め規定された規定枚数に達したか否かを判定する。このとき、本実施形態１に係る紙幣整理装置１００は、搬送中の紙幣の搬送先となる使用中の一時集積部７に限らず、全ての一時集積部７の紙幣の集積状態を把握する。
【００９５】
そして、紙幣整理装置１００は、Ｓ１３６の判定処理で、一時集積部７ａ〜７ｅの全てに集積させる予定の紙幣のトータル枚数が規定枚数に達したと判定された場合（“Ｙｅｓ”の場合）に、Ｓ１５５での紙幣の移送・施封処理の開始に先駆けて、紙幣の繰り出しを停止する（Ｓ１５４）。
【００９６】
つまり、紙幣整理装置１００は、Ｓ１５５で紙幣を搬送先の一時集積部７から施封部１０に移送することができなくなる前に、事前に、Ｓ１５４で紙幣の繰り出しを停止する。このとき、紙幣整理装置１００は、Ｓ１５５で紙幣の移送・施封処理が開始されるまでに、１乃至複数枚の紙幣がすでに投入部１から搬送部３に繰り出されていれば、繰り出されている紙幣をリジェクト部８に搬送せずに、搬送先の一時集積部７に搬送する。
【００９７】
Ｓ１５４の後、紙幣整理装置１００は、すぐに、１乃至複数の一時集積部７が満杯状態になる。そのため、紙幣整理装置１００は、Ｓ１５５において、いずれかの満杯状態になっている１乃至複数の一時集積部７に対して、紙幣の移送・施封処理を開始する。このとき、紙幣整理装置１００は、Ｓ１７５において、紙幣の移送・施封処理が完了して、移送元となった一時集積部７が空の状態（移送元となった一時集積部７に対応するカウンタ１１５の値がリセットされた状態）になるまで、待機状態（施封完了待ち状態）になる。
【００９８】
係る構成において、紙幣整理装置１００は、紙幣の繰り出しの停止により、全ての一時集積部７が満杯状態（施封枚数に達した状態）になることにより発生する、待機状態の発生頻度を低減させることができる。また、リジェクト部８に搬送される紙幣が発生することを抑制することもできる。その結果、紙幣が投入部１に再投入される頻度が減少するため、オペレータの利便性を向上させることができる。
【００９９】
なお、本実施形態では、紙幣の繰り出しの停止を解除する条件（紙幣の繰り出しを再開する条件）は、施封処理の完了によって、空の一時集積部７ができたことになっている。
【０１００】
また、紙幣の繰り出し再開時の搬送先の一時集積部７は、停止前の一時集積部７（紙幣の繰り出しの停止前に搬送先として使用していた一時集積部７）となる。それは、前記した通り、仮に、Ｓ１５５の時点で、停止前の一時集積部７が満杯状態になっていなければ、紙幣を停止前の一時集積部７に集積させることができ、一方、Ｓ１５５の時点で、停止前の一時集積部７が満杯状態になっていれば、紙幣の移送・施封処理が行われることによって、停止前の一時集積部７が空の状態になり、その結果、紙幣を停止前の一時集積部７に集積させることができるようになるからである。
【０１０１】
以上の通り、本実施形態１に係る紙幣整理装置１００によれば、一時集積部７ａ〜７ｅの全てに集積させる予定の紙幣のトータル枚数が予め規定された規定枚数（ここでは、処理実行枚数）に達したときに、紙幣の繰り出しを停止することで、一時集積部７が満杯状態になることにより発生する、待機状態の発生頻度を低減させることができる。また、リジェクト部８に搬送される紙幣が発生することを抑制することもできる。
【０１０２】
［実施形態２］
実施形態１に係る紙幣整理装置１００は、対象金種が紙幣の種類（額面）の１種類となっている場合に適した構成になっている。しかしながら、「対象金種」は、紙幣の種類（額面）のみでなく、方向や、年度、その他の、紙幣を区別して取り扱うことができる様々な種別を適用することができる。
【０１０３】
実施形態１に係る紙幣整理装置１００は、対象金種が複数ある場合に、その内訳が１金種とは限らないため、実施形態１で説明した単純な紙幣のトータル枚数に基づく動作だけでは、対象金種毎に紙幣を整理することが困難である。
【０１０４】
そこで、本実施形態２では、対象金種が複数の種類（２種類以上）となっている場合でも、対象金種毎に紙幣を整理することができる紙幣整理装置１００Ａ（図示せず）を提供する。
【０１０５】
本実施形態２に係る紙幣整理装置１００Ａ（図示せず）は、実施形態１に係る紙幣整理装置１００に対し、構成が同じで、動作のみが異なる装置となっている。その紙幣整理装置１００Ａは、対象金種が複数ある場合に、対象金種毎に現在の搬送先として使用している一時集積部７に集積させる予定の紙幣の枚数に基づいて動作することにより、対象金種毎に紙幣を整理する。
【０１０６】
以下、図５Ａ〜図５Ｅを参照して、本実施形態２に係る紙幣整理装置１００Ａ（図示せず）の動作について説明し、その後に、本実施形態２に係る紙幣整理装置１００Ａの運用に即した動作例を説明する。図５Ａ〜図５Ｅは、それぞれ、本実施形態２に係る紙幣整理装置１００Ｂの動作を示すフローチャートである。
【０１０７】
ここでは、本実施形態２に係る紙幣整理装置１００Ａの動作について、実施形態１に係る紙幣整理装置１００及び比較例に係る紙幣整理装置６００と相違する動作を重点的に説明し、実施形態１に係る紙幣整理装置１００と同様の動作（図４Ａ及び図４Ｂ参照）及び比較例に係る紙幣整理装置６００と同様の動作（図３Ａ〜図３Ｃ参照）については、前記した実施形態１に係る紙幣整理装置１００の動作及び比較例に係る紙幣整理装置６００の動作を本実施形態２に係る紙幣整理装置１００Ａの動作に読み替えるものとして、重複した説明を省略する。
【０１０８】
本実施形態２に係る紙幣整理装置１００Ａは、図５Ｂに示すフローの処理を実行することによって、図５Ｃに示すように、実施形態１に係る紙幣整理装置１００と同様の処理（図４Ｂ参照）を実行したり、又は、図５Ｄ及び図５Ｅに示すように、比較例に係る紙幣整理装置６００と同様の処理（図３Ｂ及び図３Ｃ参照）を実行したりする構成になっている。
【０１０９】
図５Ａに示すように、Ｓ１１５の判定処理で、搬送先が一時集積部７であると判定された場合（“Ｙｅｓ”の場合）に、紙幣整理装置１００Ａの処理は、符号「Ｃ１」を介して、図５Ｂに示すＳ２０５に進む。
【０１１０】
図５Ｂに示すように、紙幣整理装置１００Ａの制御部１１０は、対象金種数が複数（例えば、紙幣の種類（額面）、方向、年度、その他）であるか否かを判定する（Ｓ２０５）。
【０１１１】
Ｓ２０５の判定処理で、対象金種数が複数でないと判定された場合（“Ｎｏ”の場合）に、紙幣整理装置１００Ａの処理は、符号「Ｃ２」を介して、図５Ｃに示すＳ１３６（「集積紙幣のトータル枚数が規定枚数に達したか否か」の判定処理）に進む。以下、図５Ｃに示すように、紙幣整理装置１００Ａは、実施形態１に係る紙幣整理装置１００と同様の処理（図４Ｂ参照）を実行する。
【０１１２】
一方、Ｓ２０５の判定処理で、対象金種数が複数であると判定された場合（“Ｙｅｓ”の場合）に、紙幣整理装置１００Ａの制御部１１０は、搬送中の紙幣の対象金種に該当する金種（以下、「該当金種」と称する）の使用中の一時集積部７（すなわち、該当金種の紙幣の搬送先として使用している一時集積部７）が処理実行枚数（例えば、９０枚）に達したか否かを判定する（Ｓ２１０）。
【０１１３】
Ｓ２１０の判定処理で、該当金種の使用中の一時集積部７が処理実行枚数に達していないと判定された場合（“Ｎｏ”の場合）に、紙幣整理装置１００Ａの処理は、符号「Ｃ４」を介して、図５Ｄに示すＳ１４０（「紙幣を一時集積部７に搬送」の処理）に進む。図５Ｄに示すフローは、比較例に係る紙幣整理装置６００の動作フローと同様のフロー（図３Ｂ参照）となっている。
【０１１４】
一方、Ｓ２１０の判定処理で、該当金種の使用中の一時集積部７が処理実行枚数に達していると判定された場合（“Ｙｅｓ”の場合）に、紙幣整理装置１００Ａの制御部１１０は、空の一時集積部７があるか否かを判定する（Ｓ２１５）。
【０１１５】
Ｓ２１５の判定処理で、空の一時集積部７が無いと判定された場合（“Ｎｏ”の場合）に、制御部１１０は、移送枚数（例えば、１００枚）に達している該当金種の一時集積部７があるか否かを判定する（Ｓ２２０）。換言すると、制御部１１０は、紙幣の集積枚数が移送枚数（例えば、１００枚）に達している一時集積部７の中に、該当金種と同じ金種の紙幣を集積している一時集積部７があるか否かを判定する。
【０１１６】
Ｓ２２０の判定処理で、移送枚数（例えば、１００枚）に達している該当金種の一時集積部７が無いと判定された場合（“Ｎｏ”の場合）に、紙幣整理装置１００Ａの処理は、符号「Ｃ３」を介して、図５Ｄに示すＳ１３５（「使用中の一時集積部７が移送枚数に達したか否か」の判定処理）に進む。
【０１１７】
一方、Ｓ２２０の判定処理で、移送枚数（例えば、１００枚）に達している該当金種の一時集積部７があると判定された場合（“Ｙｅｓ”の場合）に、紙幣整理装置１００Ａの処理は、符号「Ｃ５」を介して、図５Ｃに示すＳ１５４（「紙幣繰り出し停止」の処理）に進む。
【０１１８】
前記したＳ２１５の判定処理で、空の一時集積部７があると判定された場合（“Ｙｅｓ”の場合）に、紙幣整理装置１００Ａの処理は、符号「Ｃ６」を介して、図５Ｅに示すＳ１９０）（「紙幣を一時集積部に搬送（カウントアップ」の処理）に進む。
【０１１９】
（運用に即した動作例）
以下、本実施形態２に係る紙幣整理装置１００Ａの運用に即した動作例を、説明する。ここでは、オペレータが、事前に、本実施形態２に係る紙幣整理装置１００Ａに対して、表示操作部１３を操作して、「処理実行枚数」を設定しているものとして説明する。
【０１２０】
図５Ｂに示すように、紙幣整理装置１００Ａは、紙幣の集積枚数が施封枚数（例えば、１００枚）よりも少ない処理実行枚数（例えば、９０枚）に達していると判定された場合（Ｓ２１０の判定処理で“Ｙｅｓ”の場合）で、さらに、空の一時集積部７が無いとき（Ｓ２１５の判定処理で“Ｎｏ”の場合）に、Ｓ２２０の判定処理を実行する。
【０１２１】
そして、Ｓ２２０の判定処理において、紙幣整理装置１００Ａの制御部１１０は、移送枚数（例えば、１００枚）に達している該当金種の一時集積部７があるか否かを判定する。換言すると、制御部１１０は、紙幣の集積枚数が移送枚数（例えば、１００枚）に達している一時集積部７の中に、該当金種と同じ金種の紙幣を集積している一時集積部７があるか否かを判定する。
【０１２２】
Ｓ２２０の判定処理で、移送枚数（例えば、１００枚）に達している該当金種の一時集積部７があると判定された場合（“Ｙｅｓ”の場合）に、その一時集積部７は、図５Ｃに示すＳ１５５で、紙幣の移送・施封処理が開始されることによって、空の状態となる。その結果、その一時集積部７は、搬送先として使用可能な状態になる。そこで、この場合に、紙幣整理装置１００Ａは、図５Ｃに示すＳ１５４で、紙幣の繰り出しを停止して、図５Ｃに示すＳ１７５の判定処理で、空の一時集積部７ができたと判定されるまで（Ｓ１７５の判定処理で“Ｙｅｓ”となるまで）、待機状態になる。つまり、紙幣整理装置６００は、空の一時集積部７ができるまで、紙幣の繰り出しを停止し続ける状態になる。
【０１２３】
一方、Ｓ２２０の判定処理で、移送枚数（例えば、１００枚）に達している該当金種の一時集積部７が無いと判定された場合（“Ｎｏ”の場合）に、該当金種の使用中の一時集積部７は、現在９０枚の紙幣を集積した状態であり、あと１０枚の紙幣を集積したときに満杯状態になる。このとき、紙幣整理装置１００Ａは、次の搬送先が決まらない状態となる。そのため、このとき、紙幣整理装置１００Ａは、図５Ｄ及び図５Ｅに示すように、比較例に係る紙幣整理装置６００と同様の処理を実行する。ただし、ここでいう、同様の処理とは、搬送先が無い場合に、紙幣をリジェクト部８に搬送し、空の一時集積部７ができるまで、待機状態になる処理を意味する。
【０１２４】
以上の通り、実施形態２に係る紙幣整理装置１００Ａによれば、実施形態１に係る紙幣整理装置１００と同様に、一時集積部７が満杯状態になることにより発生する、待機状態の発生頻度を低減させることができる。また、リジェクト部８に搬送される紙幣が発生することを抑制することもできる。
しかも、紙幣整理装置１００Ａによれば、対象金種数が複数ある場合であっても、対象金種毎に紙幣を整理することができる。
【０１２５】
［実施形態３］
実施形態２では、紙幣整理装置１００Ａは、図５ＢのＳ２２０の判定処理（「移送枚数に達している該当金種の一時集積部７があるか否か」の判定処理）で、移送枚数に達している該当金種の一時集積部７が無いと判定された場合（“Ｎｏ”の場合）に、紙幣をリジェクト部８に搬送してしまうことがある。具体的には、紙幣整理装置１００Ａの処理が、図５ＢのＳ２２０の判定処理で“Ｎｏ”となり、図５ＤのＳ１３５の判定処理で“Ｙｅｓ”となり、Ｓ１５５に進み、図５ＥのＳ１６０の判定処理で“Ｎｏ”となり、Ｓ１６５に進み、その結果、Ｓ１７０の処理に進む場合がある。
【０１２６】
そこで、本実施形態３では、図５ＢのＳ２２０の判定処理（「移送枚数に達している該当金種の一時集積部７があるか否か」の判定処理）で、移送枚数に達している該当金種の一時集積部７が無いと判定された場合（“Ｎｏ”の場合）に、紙幣をリジェクト部８に搬送せずに、オープンポケット５に搬送する紙幣整理装置１００Ｂ（図示せず）を提供する。
【０１２７】
本実施形態３に係る紙幣整理装置１００Ｂ（図示せず）は、本実施形態２に係る紙幣整理装置１００Ａに対し、構成が同じで、動作のみが異なる装置となっている。以下、図６を参照して、本実施形態３に係る紙幣整理装置１００Ｂの動作について説明する。図６は、本実施形態３に係る紙幣整理装置１００Ｂの動作を示すフローチャートである。
【０１２８】
ここでは、本実施形態３に係る紙幣整理装置１００Ｂの動作について、実施形態２に係る紙幣整理装置１００Ａと相違する動作を重点的に説明し、実施形態２に係る紙幣整理装置１００Ａと同様の動作（図５Ａ〜図５Ｅ参照）については、前記した実施形態２に係る紙幣整理装置１００Ａの動作を本実施形態３に係る紙幣整理装置１００Ｂの動作に読み替えるものとして、重複した説明を省略する。
【０１２９】
図６に示すように、本実施形態３に係る紙幣整理装置１００Ｂは、実施形態２に係る紙幣整理装置１００Ａと比較すると、図５Ｅに示すＳ１７０の処理（「搬送路上の紙幣をリジェクト部８に搬送」の処理）の代わりに、Ｓ１７１の処理を実行する点で、相違している。
【０１３０】
Ｓ１７１において、紙幣整理装置１００Ｂは、紙幣の繰り出しを停止するまでにすでに搬送部３に繰り出された紙幣があれば、繰り出された紙幣をオープンポケット５に搬送する。
【０１３１】
このような紙幣整理装置１００Ｂの制御部１１０は、鑑別の対象となる紙幣の金種が紙幣の種類及び方向を含む複数種類ある場合で、かつ、繰出部ＳＯによる紙幣の繰り出し及び搬送部３による紙幣の搬送の実行中に、全ての一時集積部７が移送機構９による紙幣の移送の実行を待つ移送待ち状態になったときに、搬送部３に、その時点ですでに投入部１から繰り出されている紙幣をオープンポケット５まで搬送させる構成となっている。
【０１３２】
（紙幣をオープンポケットに搬送することの意義）
以下、本実施形態３に係る紙幣整理装置１００Ｂにおける紙幣をオープンポケット５に搬送することの意義について説明する。
【０１３３】
例えば、実施形態２に係る紙幣整理装置１００Ａは、リジェクト紙幣の搬送先としてリジェクト部８を使用している。ここで、「リジェクト紙幣」とは、鑑別部２によって正常でない紙幣（すなわち、金種不明や搬送異常、偽券、破損券等と鑑別された紙幣）を指す。なお、オープンポケット５を搬送先に設定しない場合の施封対象外金種の紙幣も、「リジェクト紙幣」となる。そのため、リジェクト部８には、様々な要因のリジェクト紙幣が混在して集積される。
【０１３４】
通常、オペレータは、リジェクト部８から、リジェクト部８に集積された全てのリジェクト紙幣を取り出して、投入部１に投入し、紙幣整理装置１００Ａに再鑑別させる。しかしながら、明らかに破損している紙幣や施封対象外金種の紙幣等は、再鑑別しても、リジェクトされる。紙幣整理装置１００Ａは、このようなリジェクトされることが予め分かっている紙幣を再鑑別することになり、その分だけ不要な鑑別をすることになる。
【０１３５】
このような不要な鑑別を避けたい場合は、オペレータが、リジェクト部８から取り出した紙幣の中から、再鑑別してもリジェクトされることが予め分かっている紙幣（破損している紙幣や施封対象外金種の紙幣）を除外し、残りの紙幣を投入部１に投入するしかない。
【０１３６】
一方、オープンポケット５は、施封対象外金種の中から選択される特定の金種の紙幣（以下、「施封対象外の特定金種の紙幣」と称する）の搬送先として使用される。本実施形態３に係る紙幣整理装置１００Ｂは、このオープンポケット５を、施封対象外の特定金種の紙幣の搬送先としてではなく、施封対象金種の紙幣であるものの、空の一時集積部７が無いことにより発生したリジェクト紙幣の搬送先として使用する。このような紙幣整理装置１００Ｂは、オペレータが、オープンポケット５から紙幣を取り出して、取り出された紙幣をそのまま投入部１に投入するだけで、不要な鑑別をすることなく、空の一時集積部７が無いことにより発生したリジェクト紙幣を容易に再鑑別することができる。
【０１３７】
さらに、紙幣整理装置１００Ｂは、再鑑別した場合に、設定次第で正常券と鑑別される可能性が高い紙幣（例えば、折れ券や、重走券、搬送時に正常に搬送されなかったスキュ一券等の紙幣）の搬送先としてオープンポケット５を設定することも可能である。
【０１３８】
オペレータは、このように設定したときも、オープンポケット５から紙幣を取り出して、取り出された紙幣をそのまま投入部１に投入すればよい。ただし、折れ券については、折れを直してから投入する必要がある。
【０１３９】
以上の通り、第３実施形態に係る紙幣整理装置１００Ｂによれば、実施形態１に係る紙幣整理装置１００及び実施形態２に係る紙幣整理装置１００Ａと同様に、一時集積部７が満杯状態になることにより発生する、待機状態の発生頻度を低減させることができる。また、リジェクト部８に搬送される紙幣が発生することを抑制することもできる。
しかも、紙幣整理装置１００Ｂによれば、実施形態２に係る紙幣整理装置１００Ａと同様に、対象金種数が複数ある場合であっても、対象金種毎に紙幣を整理することができる。
【０１４０】
さらに、紙幣整理装置１００Ｂによれば、施封対象金種の紙幣であるものの、空の一時集積部７が無いことにより発生したリジェクト紙幣の搬送先としてオープンポケット５を使用することにより、他のリジェクト要因のリジェクト紙幣と容易に区別することができる。
【０１４１】
つまり、紙幣整理装置１００Ｂによれば、オペレータが、一時集積部７が満杯状態になることにより発生するリジェクト紙幣を容易に再鑑別したい場合に、オープンポケット５に集積された紙幣をそのまま投入部１に投入することによって、このようなリジェクト紙幣の再鑑別を容易に実現することができる。そのため、オペレータによる選別作業を不要にすることができる。
【０１４２】
さらに、紙幣整理装置１００Ｂによれば、オペレータが、再鑑別した場合に正常券と鑑別される可能性が高い紙幣（例えば、折れ券や、重走券、搬送時に正常に搬送されなかったスキュ一券等の紙幣）の搬送先としてオープンポケット５を設定し、オープンポケット５に集積された紙幣をそのまま投入部１に投入することによって、選別作業をすることなく、このような紙幣の再鑑別を容易に実現することができる。
【０１４３】
本発明は、前記した実施形態に限定されることなく、本発明の要旨を逸脱しない範囲で種々の変更や変形を行うことができる。
【０１４４】
例えば、前記した実施形態１〜実施形態３では、紙幣整理装置１００の一例として施封部１０を有する紙幣施封装置を用いて説明した。しかしながら、本発明は、施封部１０を持たない紙幣整理装置にも適用することができる。このような紙幣整理装置としては、例えば、金融機関の営業店の窓口よりも後方に設置され、現金の出し入れを管理する元方現金処理装置等がある。
【０１４５】
また、例えば、本発明は、施封部１０を持たない代わりに、複数のオープンポケット５等を持つ紙幣整理装置で、かつ、オペレータが規定枚数に達した紙幣を一時集積部７から抜きとる構成の紙幣整理装置に対しても、適用することができる。例えば、本発明は、一時集積部７が満杯状態になる前に、紙幣の繰り出しを停止して、オペレータに集積状態を知らせる構成にすることによって、このような紙幣整理装置に適用することができる。
【０１４６】
また、例えば、図１に示す例では、移送機構９は、爪状の部材で紙幣を挟み込んで保持し、その状態で紙幣を施封部１０に移送する構成になっている。しかしながら、移送機構９は、他の機構（例えば、搬送ローラや搬送ベルト等）によって構成することができる。
【０１４７】
また、例えば、紙幣整理装置１００の制御部１１０は、繰出部ＳＯに対して投入部１に投入された紙幣を繰り出させる速度モードを複数レベルで設定することができ、繰出部ＳＯに対して紙幣の繰り出しを停止させる場合に、速度モードに応じて、停止されるまでに繰り出す紙幣の枚数を調整する構成にしてもよい。このような構成は、例えば、図７に示す停止枚数切替用テーブル情報１３０を記憶部１２０に予め格納しておき、制御部１１０が、稼動前又は稼動中に、停止枚数切替用テーブル情報１３０を参照し、紙幣の繰り出しの停止時に、速度モードに応じて、停止されるまでに繰り出す紙幣の枚数を調整することによって、実現される。なお、図７に示す停止枚数切替用テーブル情報１３０は、速度モードに対応する停止枚数を規定するテーブル情報である。「停止枚数」は、前記した時間「ｔ２」分に相当する枚数である。前記した「規定枚数（すなわち、移送枚数）」は、全ての一時集積部７で紙幣の集積枚数が移送枚数に達したと仮定した場合の移送枚数のトータル枚数から、「停止枚数」を減算した値となる。例えば、移送枚数のトータル枚数が５００枚で、かつ、現在運用中の速度モードに対応する「停止枚数」が「１０枚」である場合に、前記した「規定枚数（すなわち、移送枚数）」は、移送枚数のトータル枚数（５００枚）から停止枚数（１０枚）を減算した値である「４９０枚」となる。
【符号の説明】
【０１４８】
１    投入部
２    鑑別部
３    搬送部
４    表裏反転部
５    オープンポケット
６    集積機構
７    集積部
７ａ〜７ｅ    一時集積部
８    リジェクト部
９    移送機構
１０    施封部
１１    放出口
１２    操作部
１３    表示操作部
１００    紙幣整理装置
１１０    制御部
１１５（１１５ａ〜１１５ｇ）    カウンタ
１１６    計数部
１２０    記憶部
ＳＮ    搬送監視センサ
ＳＯ    繰出部
【図１】
2015046000.tif 000003
【図２】
2015046000.tif 000004
【図３Ａ】
2015046000.tif 000005
【図３Ｂ】
2015046000.tif 000006
【図３Ｃ】
2015046000.tif 000007
【図４Ａ】
2015046000.tif 000008
【図４Ｂ】
2015046000.tif 000009
【図５Ａ】
2015046000.tif 000010
【図５Ｂ】
2015046000.tif 000011
【図５Ｃ】
2015046000.tif 000012
【図５Ｄ】
2015046000.tif 000013
【図５Ｅ】
2015046000.tif 000014
【図６】
2015046000.tif 000015
【図７】
2015046000.tif 000016